(57)【要約】【課題】デジタルコンテンツを正規購入者に無償で再提供する。【解決手段】利用者に商品一覧を表示して商品を選択させて商品ＩＤを取得し、ＩＣカードからカードＩＤを、再生機から機体ＩＤを読み取り、カードＩＤと機体ＩＤと商品ＩＤをサーバー装置に送信し、該当のデジタルコンテンツをサーバー装置から受信して再生機に転送し、当該ＩＣカード情報に基づいて課金処理を行い、当該機体ＩＤと販売済商品ＩＤの組みをＩＣカードの販売履歴に記録する販売処理と、再生機から現存機体ＩＤを、ＩＣカードからカードＩＤと販売履歴を読み取り、販売履歴中に現存機体ＩＤに対応付けられて記録されている販売済商品を利用者に一覧表示して商品を選択させて商品ＩＤを取得し、カードＩＤと現存機体ＩＤと商品ＩＤをサーバー装置に送信し、該当のデジタルコンテンツをサーバー装置から受信して再生機に転送する再提供処理とを行う。【選択図】  図３
2007080163.tif 000002
【特許請求の範囲】
【請求項１】
ＩＣカードインタフェースと、再生機インタフェースと、通信インタフェースと、ユーザインタフェースと、制御手段を備えたデジタルコンテンツ販売機であって、
ＩＣカードインタフェースは、提示されたＩＣカードの情報の読み取りと情報を書き込みを可能とし、
ＩＣカードは、カードＩＤと販売履歴を記録可能とし、
販売履歴は、再生機の機体ＩＤと販売済商品ＩＤを対応付けし、
再生機インタフェースは、結合された再生機から機体ＩＤを読み取るとともに、再生機にデジタルコンテンツを転送可能とし、
通信インタフェースは、デジタルコンテンツを提供するサーバー装置と通信網を介して通信可能とし、
ユーザインタフェースは、利用者に情報を表示するとともに、利用者入力を受付可能とし、
制御手段は、販売処理と再提供処理とを可能とし、
販売処理は、第１〜第３処理を行い、
第１処理は、利用者のＩＣカードからカードＩＤを、利用者の再生機から機体ＩＤを読み取るとともに、利用者に商品一覧を表示して商品を選択させて商品ＩＤを取得し、
第２処理は、第１処理で取得したカードＩＤと機体ＩＤと商品ＩＤをサーバー装置に送信し、当該商品ＩＤに該当するデジタルコンテンツをサーバー装置から受信し、
第３処理は、第２処理で受信したデジタルコンテンツを当該再生機に転送し、当該ＩＣカード情報に基づいて課金処理を行うとともに、当該機体ＩＤと商品ＩＤの組みをＩＣカードの販売履歴に記録し、
再提供処理は、第４〜第７処理を行い、
第４処理は、再生機から機体ＩＤ（現存機体ＩＤとする）を読み取るとともに、ＩＣカードからカードＩＤと販売履歴を読み取り、販売履歴に現存機体ＩＤと商品ＩＤの組みが記録されている場合に第５処理に進み、
第５処理は、現存機体ＩＤに対応付けられた商品ＩＤに基づいて利用者に販売済商品一覧を表示して商品を選択させ、選択された商品ＩＤを取得し、
第６処理は、第４処理で取得したカードＩＤ・現存機体ＩＤと、第５処理で取得した商品ＩＤをサーバー装置に送信し、当該商品ＩＤに該当するデジタルコンテンツをサーバー装置から受信し、
第７処理は、第６処理で受信したデジタルコンテンツを再生機に転送する
デジタルコンテンツ販売機。
【発明の詳細な説明】
【技術分野】
【０００１】
この発明は、購入者が持参したデジタル携帯音楽再生機に楽曲データを販売する音楽コンテンツ販売機を典型例とするデジタルコンテンツ販売機に関し、とくに、購入者が所有するＩＣカードの情報に基づいて販売料金の精算を行うシステムを採用し、さらに正規購入者に無償で同一コンテンツを再提供するものに関する。
【背景技術】
【０００２】
近年、若者を中心に小型の音楽プレーヤーを携帯する人が多い。ＭＰ３プレーヤーと言われるような携帯型音楽プレーヤーをポケットに入れたり首から提げたりして持ち歩き、歩きながら、あるいは通勤電車の中などで音楽を聴く姿をあちらこちらで目にする。このような小型プレーヤーで再生できるＭＰ３形式などのデジタル楽曲データは、自宅のパソコンでダウンロードしたりしてネットワーク経由で簡単に入手できることも、このようなプレーヤーが爆発的にヒットする要因でもある。
【０００３】
コンビニエンスストアや駅などの街頭で、楽曲データなどのデジタルコンテンツを販売する自動販売機も知られている。例えば、特開２０００−７６５４２号公報や特開２００１−１７５９４６号公報、特開２００２−９２７３１号公報などに開示されている。このような販売機では、利用者が所有のプレーヤーを販売機に接続し、欲しいコンテンツを選択して手持ちの電子マネーＩＣカードで購入の決済をする形態が一般的である。
【０００４】
音楽や映像、電子書籍などのデジタルコンテンツは、劣化することがなくコピーが極めて容易という特徴がある。一方で、著作物たる音楽や映像は、さまざまな著作権法上の著作権の保護対象になっている。たとえば音楽著作物であれば、録音権、演奏権、複製権、上映権、公衆送信権、有線放送権、展示権、貸与権、頒布権などの著作権が複雑に関与する。音楽著作権に関しては、たとえば、株式会社リットーミュージック「よくわかる音楽著作権ビジネス１基礎編」「よくわかる音楽著作権ビジネス２実践編」に詳しく解説されている。
【０００５】
利用者が一旦購入したデジタルコンテンツを多数のプレーヤーに自由に何度でもコピーして再生できるのでは、著作物にまつわるさまざまな著作権を侵害することになる。そのような事情から、デジタルコンテンツ制作者の著作権保護のための技術も発展し、流通に一定の制限が加えられている。たとえば、購入済みの楽曲データをコピーできる回数を制限して不正コピーを防止する技術が知られている。つまり、購入してパソコンにダウンロードした音楽データを携帯音楽プレーヤーやＭＤなどの記録媒体に転送できる回数を制限したり、パソコンから転送できる携帯音楽プレーヤーを識別して制限したりしている。デジタルコンテンツの流通に関する技術については、株式会社アスキー「ポイント図解式コンテンツ流通教科書」などに詳しく解説されている。
【特許文献１】特開２０００−７６５４２号公報
【特許文献２】特開２００１−１７５９４６号公報
【特許文献３】特開２００２−９２７３１号公報
【非特許文献１】安藤和宏著「よくわかる音楽著作権ビジネス１基礎編」株式会社リットーミュージック
【非特許文献２】安藤和宏著「よくわかる音楽著作権ビジネス２実践編」株式会社リットーミュージック
【非特許文献３】安田浩監修「ポイント図解式コンテンツ流通教科書」株式会社アスキー
【発明の開示】
【発明が解決しようとする課題】
【０００６】
デジタルコンテンツを正規に購入して正当な使用権を得た場合でもあっても、そのコンテンツを何らかの理由で誤ってまたは意図的に消去してしまったり、データ破損させてしまったりして、せっかく正当な使用権を有するのに使用できなくなることも起こり得る。無形の情報（データ）に特有の事象ということもできる。しかし、再び使用するために購入し直さなければならないのでは、デジタルコンテンツ提供側の著作権保護のためとはいえ、正当な購入者にあまりに酷であるし、デジタルコンテンツ利用者側の利便性が著しく低下する結果となる。
【０００７】
そこで本発明者は、デジタルコンテンツの販売に際し、先に同一コンテンツを正当に購入した人に対しては代金を請求することなく無償で再提供できるデジタルコンテンツ販売機があれば便利だと考え、本発明を創作した。
【課題を解決するための手段】
【０００８】
上記課題に鑑み創作された発明は、次の事項（１）〜（17）によって特定されるデジタルコンテンツ販売機である。  
（１）ＩＣカードインタフェースと、再生機インタフェースと、通信インタフェースと、ユーザインタフェースと、制御手段を備えたデジタルコンテンツ販売機であること
（２）ＩＣカードインタフェースは、提示されたＩＣカードの情報の読み取りと情報を書き込みを可能とすること
（３）ＩＣカードは、カードＩＤと販売履歴を記録可能とすること
（４）販売履歴は、再生機の機体ＩＤと販売済商品ＩＤを対応付けすること
（５）再生機インタフェースは、結合された再生機から機体ＩＤを読み取るとともに、再生機にデジタルコンテンツを転送可能とすること
（６）通信インタフェースは、デジタルコンテンツを提供するサーバー装置と通信網を介して通信可能とすること
（７）ユーザインタフェースは、利用者に情報を表示するとともに、利用者入力を受付可能とすること
（８）制御手段は、販売処理と再提供処理とを可能とすること
（９）販売処理は、第１〜第３処理を行うこと
（10）第１処理は、利用者のＩＣカードからカードＩＤを、利用者の再生機から機体ＩＤを読み取るとともに、利用者に商品一覧を表示して商品を選択させて商品ＩＤを取得すること
（11）第２処理は、第１処理で取得したカードＩＤと機体ＩＤと商品ＩＤをサーバー装置に送信し、当該商品ＩＤに該当するデジタルコンテンツをサーバー装置から受信すること
（12）第３処理は、第２処理で受信したデジタルコンテンツを当該再生機に転送し、当該ＩＣカード情報に基づいて課金処理を行うとともに、当該機体ＩＤと商品ＩＤの組みをＩＣカードの販売履歴に記録すること
（13）再提供処理は、第４〜第７処理を行うこと
（14）第４処理は、再生機から機体ＩＤ（現存機体ＩＤとする）を読み取るとともに、ＩＣカードからカードＩＤと販売履歴を読み取り、販売履歴に現存機体ＩＤと商品ＩＤの組みが記録されている場合に第５処理に進むこと
（15）第５処理は、現存機体ＩＤに対応付けられた商品ＩＤに基づいて利用者に販売済商品一覧を表示して商品を選択させ、選択された商品ＩＤを取得すること
（16）第６処理は、第４処理で取得したカードＩＤ・現存機体ＩＤと、第５処理で取得した商品ＩＤをサーバー装置に送信し、当該商品ＩＤに該当するデジタルコンテンツをサーバー装置から受信すること
（17）第７処理は、第６処理で受信したデジタルコンテンツを再生機に転送すること
【発明の効果】
【０００９】
本発明によれば、利用者が先に正当に購入して使用権を有するデジタルコンテンツを誤ってまたは意図的に消去したり破損させたりした場合にも、同一コンテンツであれば再び無償で提供を受けることができる。しかも、先に購入した際に使用したＩＣカードを利用しさえすれば、先に購入した販売機と異なる販売機であっても、再提供を受けることができる。情報流通の利便性が向上し、利用者が拡大する効果を期待できる。
【発明を実施するための最良の形態】
【００１０】
＝＝＝本発明の概要＝＝＝
本実施例は、利用者が所有する再生機をデジタルコンテンツ販売機に接続し、この再生機で再生するデジタルコンテンツを電子マネーＩＣカードを使用して購入しようとする場合に、当該ＩＣカードに記録されている販売履歴を参照して、同一再生機（機体ＩＤ）に対して同一コンテンツＩＤの販売履歴がある場合には、当該コンテンツを無償で提供するものである。一方、同一コンテンツＩＤの販売履歴がない場合には、当該ＩＣカードによる電子マネー決済によって販売する。デジタルコンテンツを販売した場合には、販売機はＩＣカードの残高から販売額を差し引いて残高を更新するとともに、その販売額を決済機構（決済センターコンピュータ）に通知する。
【００１１】
＝＝＝デジタルコンテンツ販売機の構成＝＝＝
図１に本実施例のデジタルコンテンツ販売機の構成を例示している。また図２には、このデジタルコンテンツ販売機を含むシステム構成を例示している。デジタルコンテンツ販売機１０は、汎用パソコン応用機器であり、電子マネー用ＩＣカードの読み書きが可能な非接触型のＩＣカードインタフェース１２と、デジタルコンテンツ再生機をＵＳＢなどの標準規格形式により接続可能な再生機ポート１３と、利用者の指定入力の受付および利用者への情報提示が可能なタッチパネル式の操作／パネル表示部１４と、外部コンピュータとデータ通信が可能な通信インタフェース１５を備え、コンピュータ本体であるメインコンピュータ１１が全体を制御統括している。
【００１２】
デジタルコンテンツ販売機１０は、利用者が所有する携帯型音楽プレーヤーなどのデジタルコンテンツ再生機２０と、再生機ポート１３を介してデータ通信可能に構成されている。また、この販売機で販売可能なデジタルコンテンツを格納し管理しているコンテンツサーバー３０、および決済センターコンピュータ４０とは、ネットワーク５０を介してデータ通信可能に構成されている。
【００１３】
デジタルコンテンツ販売機１０は、販売可能なデジタルコンテンツの商品名、商品ＩＤ、商品価格などの索引情報を管理しており、パネル表示部１４に商品一覧を表示することが可能である。この索引情報は、適宜な機会にコンテンツサーバー３０とデータ通信して更新し、最新の販売情報を反映させている。  
なお、デジタルコンテンツ販売機１０には索引情報を管理させず、必要な場合に商品ＩＤをキー情報としてコンテンツサーバー３０に問い合わせる形式であってもよい。
【００１４】
この販売機１０で読み書き可能な電子マネーＩＣカードには、カードＩＤと、電子マネー残高と、販売履歴とを含む電子マネー情報が書き込まれている。カードＩＤは、カード発行機関（決済センターなど）が付与するカードの識別符号である。また電子マネー残高は、商品と引き換えに支払い可能な電子マネーの残高金額を示すものである。
【００１５】
販売履歴は、このＩＣカードを使用してデジタルコンテンツを購入した際に、購入した商品の商品ＩＤと販売機に接続した再生機の機体ＩＤとを記録したものである。残高および販売履歴は、後述の手順により、当該デジタルコンテンツ販売機で書き替えが可能である。
【００１６】
なお、この販売履歴と同様の販売履歴をコンテンツサーバー３０においても記録し管理している。後述の手順により再生機２０に対してデジタルコンテンツを販売した際には、購入に使用されたＩＣカードのカードＩＤをキー情報として、販売した商品ＩＤと機体ＩＤとを記録し管理している。
【００１７】
＝＝＝デジタルコンテンツ販売機の動作＝＝＝
図３にデジタルコンテンツ販売機１０における処理の流れを示している。メインコンピュータ１１は、まず、利用者にデジタルコンテンツの新規購入か購入済みコンテンツの再ダウンロード（再提供）かを選択指示させる（図３のｓ１）。
【００１８】
利用者がデジタルコンテンツを新規に購入しようとする場合には（ｓ１→ｓ２）、利用者に適宜なメッセージを提示するなどして、デジタルコンテンツ販売機１０の再生機ポート１３に所有の再生機２０を接続させる。メインコンピュータ１１は、タッチパネル式の操作／パネル表示部１４に販売可能なデジタルコンテンツを一覧表示させる。たとえば商品名と商品販売額とを一覧的に表示させる（ｓ２）。利用者が購入したい商品名をパネル表示部１４上でタッチすると、操作部１４を介して商品が指定され、その商品ＩＤとその販売額を取り出せる構成になっている。
【００１９】
利用者が指定した商品の商品ＩＤおよび販売額が通知されると（ｓ３）、メインコンピュータ１１はパネル表示部１４にメッセージを表示させるなどして利用者に電子マネーＩＣカードの提示を促す。利用者が所有の電子マネーＩＣカードをＩＣカードインタフェース１２に通すと、メインコンピュータ１１はこのＩＣカードの電子マネー情報および販売情報を読み取らせるとともに、接続されている再生機の機体ＩＤを読み取る。また、通知された販売額を課金額として認識し（ｓ４）、販売額をＩＣカードに課金する処理を行う。すなわち、読み取った電子マネー情報の残高が課金額を上回っていれば（ｓ５）、残高から課金額を差し引いた金額に残高を更新するとともに、販売機の識別符号とともにその課金額を決済センターコンピュータ４０に通知して電子マネー決済を完了させる（ｓ６〜ｓ８）。残高が不足する場合には、課金額に不足する額をＩＣカード所持者に現金で決済してもらえばよい。
【００２０】
なお、その後の決済センターコンピュータ４０の動作は本発明の範疇外であるが、決済センターがＩＣカード保持者から預かって管理する電子マネー残高相当の現金から、当該デジタルコンテンツ販売機に課金額相当の金額が支払われ、事後の決済処理が完了することになる。
【００２１】
課金処理（ｓ５〜ｓ７）が正常に実行可能であれば、メインコンピュータ１１は、ＩＣカードの販売履歴にこの商品ＩＤと機体ＩＤとの組合せを追加して更新するとともに、カードＩＤ、機体ＩＤ、商品ＩＤをコンテンツサーバー３０に通知する（ｓ８）。コンテンツサーバー３０は、通知された商品ＩＤに対応する商品（デジタルコンテンツ）を販売機に返送するとともに、自身が管理する販売履歴に、通知されたカードＩＤ、機体ＩＤ、商品ＩＤの組合せを記録する。販売機は、コンテンツサーバー３０から返送された商品を、再生機ポート１３を介して再生機２０へ転送する（ｓ９）。
【００２２】
一方、利用者が過去に購入済みのデジタルコンテンツを再ダウンロードしようとする場合（ｓ１→ｓ１０）には、適宜なメッセージを提示して利用者にデジタルコンテンツ販売機１０の再生機ポート１３に所有の再生機２０を接続させるとともに、所有の電子マネーＩＣカードをＩＣカードインタフェース１２に通させる。メインコンピュータ１１はこのＩＣカードの電子マネー情報および販売履歴を読み取らせるとともに、接続されている再生機２０の機体ＩＤを読み取る（ｓ１０）。そしてＩＣカードの販売履歴を参照し、パネル表示部１４に再ダウンロード対象曲を一覧表示させる（ｓ１１）。つまり、販売履歴から当該機体ＩＤに対して販売した商品ＩＤを抽出して、再ダウンロード対象曲として表示させる。この際にあわせて再生機２０の記憶部を参照し、ＩＣカードの販売履歴に記録されているものの再生機２０には記憶されていない商品を抽出し、再ダウンロード対象曲として一覧表示させるようにするとよい。
【００２３】
利用者が商品を指定すると（ｓ１２）、メインコンピュータ１１はその商品ＩＤを取り出すとともに、商品ＩＤ、機体ＩＤ、カードＩＤをコンテンツサーバーに通知する（ｓ１３）。コンテンツサーバー３０は、通知されたカードＩＤに基づいて自身が管理する販売履歴を参照し、カードＩＤとともに通知された商品ＩＤ、機体ＩＤの組合せが販売履歴に記録されているか否かを確認する（ｓ１４）。記録されていることを確認すると、商品ＩＤに対応する商品を販売機に返送する。販売機１０は、コンテンツサーバー３０から返送された商品を、再生機ポート１３を介して再生機２０へ転送する（ｓ１４→ｓ９）。
【００２４】
なお、コンテンツサーバー３０が管理している販売履歴に当該カードＩＤ，商品ＩＤ、機体ＩＤの組合せが記録されていない場合には、コンテンツサーバー３０は商品の返送を許諾できない旨を販売機１０に通知する（ｓ１４→ｓ１５）。あわせて当該商品の販売額（課金額）を通知する。これらの通知を受けた販売機１０は、利用者に適宜なメッセージを提示するなどして購入する必要がある旨を通知する。利用者が購入を指示した場合には、先述の販売処理に移行させればよい（ｓ１５→ｓ５）。
【００２５】
このように、販売履歴をＩＣカードとコンテンツサーバー３０の双方で管理しているので、不正なＩＣカードのデータ書き替えにも影響されることなく、確実に正当な購入者にのみ再ダウンロードを許諾することができる。
【００２６】
以上のようにすれば、利用者が一旦、電子マネーＩＣカードを使用して、所有する再生機２０で再生するために正当にデジタルコンテンツを購入すれば、このコンテンツを消失したりデータ破壊させたりしてしまった場合にも、再度購入する必要はなく無償で提供を受けることが可能となる。そのため、利用者はデジタルコンテンツの購入を気軽にできるようになる。
【００２７】
上記実施例においては、利用者が当初から新規購入を選択指示した場合には、ＩＣカードの販売履歴を参照することなく、指定の商品の販売処理を行うようにしているが、これに限らず、販売履歴を参照した処理を行ってもよい。すなわち、新規購入を選択指示した場合であっても、利用者が指定した商品が販売履歴に記録されている場合には、無償で再提供する処理に移行してもよい（ｓ４→ｓ１３）。
【図面の簡単な説明】
【００２８】
【図１】本発明の実施例におけるデジタルコンテンツ販売機のブロック構成図である。
【図２】同デジタルコンテンツ販売機を含むシステム構成を例示した図である。
【図３】同デジタルコンテンツ販売機における制御処理フロー図である。
【符号の説明】
【００２９】
１１  メインコンピュータ
１２  ＩＣカードインタフェース
１３  再生機ポート
１５  通信インタフェース
２０  再生機
３０  コンテンツサーバー
【図１】
2007080163.tif 000003
【図２】
2007080163.tif 000004
【図３】
2007080163.tif 000005